(57)【要約】【課題】取付け時にレンズ鏡筒の真円度が悪化せず、良好な光学性能と操作感を有する光学アクセサリ取付け装置を提供すること。【解決手段】レンズ鏡筒の外周に凹溝と、そこに落ち込むコマ部品と、そのコマ部品を光軸方向に押当てる押え環を設ける。凹溝とコマ部品は各々光軸に対して垂直な面を有しており、押え環による押し当てによって両者の垂直面が光軸方向に押し当てられる。そしてその光軸方向の押し当て力によって光学アクセサリ取付け装置を固定することで、レンズ鏡筒の変形を防止し、良好な光学性能と操作感を保持する。【選択図】  図１
2014013288.tif 000002
【特許請求の範囲】
【請求項１】
外周部に光軸方向の当接部と、その反対側に光軸に対して垂直な突当て面を有した係合溝とを設けたレンズ鏡筒と、該レンズ鏡筒外径に取付く取付けリングと、該取付けリングとネジ係合して光軸方向にネジ送りされる締付けリングと、該締付けリングの内径に当接し、放射状に少なくとも一ヵ所以上配された係合部品と、該係合部品を外周方向に付勢する付勢手段とを有し、前記締付けリングを締付けた際には前記係合部品が前記係合溝に嵌り込んで光軸方向に付勢を行い、前記締付けリングをゆるめた際には前記係合部品が前記付勢手段の付勢力により前記係合溝から脱出することを特徴とした光学アクセサリ。
【請求項２】
外周部に光軸方向の当接部と、その反対側に光軸に対して垂直な突当て面を有した係合溝とを設けたレンズ鏡筒と、該レンズ鏡筒外径に取付く取付けリングと、該取付けリングとネジ係合して光軸方向にネジ送りされる締付けリングと、該締付けリングの内径に当接し、放射状に少なくとも一ヵ所以上配された係合部品と、該係合部品を外周方向に付勢する付勢手段とを有し、前記締付けリングを締付けた際には前記係合部品が前記係合溝に嵌り込んで光軸方向に付勢を行い、前記締付けリングをゆるめた際には前記係合部品が前記付勢手段の付勢力により前記係合溝から脱出することを特徴とした光学アクセサリ取付け装置。
【請求項３】
外周部に光軸方向の当接部と、その反対側に光軸に対して斜めの突当て面を有した係合溝とを設けたレンズ鏡筒と、該レンズ鏡筒外径に取付く取付けリングと、該取付けリングとネジ係合して光軸方向にネジ送りされる締付けリングと、該締付けリングの内径に当接し、放射状に少なくとも一ヵ所以上配された係合部品とを有し、前記締付けリングを締付けた際には前記係合部品が前記係合溝に嵌り込んで斜め方向に付勢を行い、前記締付けリングをゆるめた際には前記付勢が開放されることを特徴とした光学アクセサリ。
【請求項４】
外周部に光軸方向の当接部と、その反対側に光軸に対して斜めの突当て面を有した係合溝とを設けたレンズ鏡筒と、該レンズ鏡筒外径に取付く取付けリングと、該取付けリングとネジ係合して光軸方向にネジ送りされる締付けリングと、該締付けリングの内径に当接し、放射状に少なくとも一ヵ所以上配された係合部品とを有し、前記締付けリングを締付けた際には前記係合部品が前記係合溝に嵌り込んで斜め方向に付勢を行い、前記締付けリングをゆるめた際には前記付勢が開放されることを特徴とした光学アクセサリ取付け装置。
【請求項５】
前記係合部品の内径部には、前記光学アクセサリの相対的な移動を防止するための制動部材が配されていることを特徴とする請求項１又は請求項３に記載の光学アクセサリ。
【請求項６】
前記係合部品の内径部には、前記光学アクセサリ取付け装置の相対的な移動を防止するための制動部材が配されていることを特徴とする請求項２又は請求項４に記載の光学アクセサリ取付け装置。
【発明の詳細な説明】
【技術分野】
【０００１】
本発明は、レンズ鏡筒に装着する光学アクセサリ及び光学アクセサリ取付け装置に関するものである。
【背景技術】
【０００２】
従来、ワイドコンバータ等の光学アクセサリを取付けるための取付け装置をレンズ鏡筒に装着する場合、装着後に光学アクセサリが回転したり脱落したりしないよう、つまみビスを締付け、レンズ鏡筒外周側から固定用部材を付勢することで固定を図っていた。その結果、レンズ鏡筒に偏った負荷がかかることとなり、レンズ鏡筒が変形して真円度が悪化し、光学性能や操作感に影響が出て撮影に支障をきたしていた。
【０００３】
下記特許文献１では、光学アクセサリ取付け用の部材とヘリコイドネジが設けられた部品とを別部品にし、且つヘリコイドネジ部と移動光学群の重心とを遠ざけて移動光学群を重力で片寄せしてガタの影響を減らしている。
【先行技術文献】
【特許文献】
【０００４】
【特許文献１】特許第３５８７３２４号明細書
【発明の概要】
【発明が解決しようとする課題】
【０００５】
しかしながら前述に開示された内容では、ヘリコイドネジと移動光学群の重心が離れていることから、ヘリコイドネジのガタによる移動光学群の倒れが大きくなり、光学性能に影響を及ぼしていた。またモーメントが大きくなることから、衝撃が加わった時にヘリコイドネジへのダメージが大きく、操作感が悪化する等の課題があった。
【０００６】
そこで本発明の目的はレンズ鏡筒に取付け、締付け固定を行ってもレンズ鏡筒の真円度が悪化せず、良好な光学性能と操作感を有する光学アクセサリ取付け装置を提供することである。
【課題を解決するための手段】
【０００７】
上記目的を達成するために本発明は、外周部に光軸方向の当接部と、その反対側に光軸に対して垂直な突当て面を有した係合溝とを設けたレンズ鏡筒と、該レンズ鏡筒外径に取付く取付けリングと、該取付けリングとネジ係合して光軸方向にネジ送りされる締付けリングと、該締付けリングの内径に当接し、放射状に少なくとも一ヵ所以上配された係合部品と、該係合部品を外周方向に付勢する付勢手段とを有し、前記締付けリングを締付けた際には前記係合部品が前記係合溝に嵌り込んで光軸方向に付勢を行い、前記締付けリングをゆるめた際には前記係合部品が前記付勢手段の付勢力により前記係合溝から脱出することを特徴とする。
【発明の効果】
【０００８】
本発明によれば、レンズ鏡筒に装着して締付け固定を行ってもレンズ鏡筒の真円度が悪化せず、良好な光学性能と操作感を有する光学アクセサリ取付け装置を提供することができる。
【図面の簡単な説明】
【０００９】
【図１】実施例１の要部断面図
【図２】図１の矢視断面図
【図３】実施例１の別状態での要部断面図
【図４】図３の矢視断面図
【図５】実施例２の要部断面図
【図６】実施例２の別状態での要部断面図
【発明を実施するための形態】
【００１０】
以下に本発明の好ましい実施の形態を、添付の図面に基づいて詳細に説明する。
【実施例１】
【００１１】
図１は本発明第１の実施例における取付け固定時の要部詳細図であり、図２は図１中の矢視断面図である。レンズ鏡筒１の先端部の外周上には光学アクセサリ固定用の凹溝１ａが全周設けられている。そして光学アクセサリ取付け用リング２がレンズ鏡筒１の先端外周部に嵌り込んでいる。ここで光学アクセサリ取付け用リング２の外周にはネジ加工が施されそのネジ部２ａに押え環３がねじ込まれている。押え環３の先端部は光学アクセサリ取付け用リング２と嵌合しており、ラジアル方向に押え環がガタつかないよう配慮されている。押え環３とレンズ鏡筒１との間にはコマ部品４が配されており、レンズ鏡筒１の外周に設けられた凹溝１ａに落ち込んでいる。コマ部品４と凹溝１ａはともに矢印８側に、光軸に対して垂直な面４ａ、１ｂを有しており、お互いが接するような位置関係となっている。コマ部品４は光軸中心に対して放射状に少なくとも１ヵ所配される。またコマ部品４の外径は押え環３の内径と、コマ部品４の内径は凹溝１ａの外径と各々略同径であり、わずかなガタを有してコマ部品４は押え環３と凹溝１ａとの間に配される設定となっている。光学アクセサリ取付け用リング２には、コマ部品４の前後左右方向の位置を規制するための穴２ｂが設けられており、コマ部品４は矢印９の方向のみ可動な状態となっている。コマ部品４の内径側には３ヵ所弾性部材５〜７が配されており、弾性部材５、６はコマ部品４と光学アクセサリ取付け用リング２との間に配され、両者の間で付勢力が働く関係となっている。また弾性部材７はコマ部品４とレンズ鏡筒１との間に配されるとともに、レンズ鏡筒１との接触面の摩擦が大きくなるような部材である（本実施例ではゴムとした）。そしてコマ部品４とレンズ鏡筒１との両者の間で付勢力を働かせることで、押え環３を締付ける途中でも光学アクセサリ取付け用リング２は回転しない。
【００１２】
ここで押え環３の回転締付け（矢印１０の方向）を行うとネジ部２ａのネジ送り機構により押え環３が矢印８方向に送られ、コマ部品４を押し付ける。押し付けられたコマ部品４は同様に被写体側に送られ、光軸に対して垂直な面４ａが凹溝の垂直面１ｂに押し付けられる。これにより、光軸方向での締付けのみによってアクセサリ取付け用リング２を固定することとなり、レンズ鏡筒がラジアル方向に負荷を受けることがなくなる。その結果鏡筒の変形が防止され、真円度を良好に保つことが可能となるため、良好な光学性能と操作感を有する光学アクセサリ取付け装置を提供することが可能となる。
【００１３】
図３は押え環３を矢印１１方向に回してゆるめた時の状態を表しており、図４は図３中の矢視断面図である。押え環３には内径部に凹部３ａが設けられており、コマ部品４が格納できるだけの空間を有している。押え環３をゆるめて凹部３ａがコマ部品４と同位相になったときに、コマ部品は弾性部材５、６の付勢力により矢印１２方向に押し上げられ、凹溝１ａから完全に脱出する。その際、弾性部材７はレンズ鏡筒１から離れ、付勢力が働かなくなる長さ設定となっている。その結果アクセサリ取付け用リング２をレンズ鏡筒１から矢印１３方向に外すことが可能となる。
【００１４】
以上述べたとおり、本発明によればレンズ鏡筒に装着して締付け固定を行ってもレンズ鏡筒の真円度が悪化せず、良好な光学性能と操作感を有する光学アクセサリ取付け装置を提供することが可能となる。
【実施例２】
【００１５】
図５は本発明第２の実施例における取付け固定時の要部詳細図である。レンズ鏡筒１４の先端部の外周上には光学アクセサリ固定用の凹溝１４ａが全周設けられている。また、押え環３とレンズ鏡筒１４との間には実施例１と同様にコマ部品１５が配されており、凹溝１４ａに落ち込んでいる。コマ部品１５と凹溝１４ａはともに矢印１６側に、光軸に対して略45°の面１５ａ、１４ｂを有しており、お互いが接するような位置関係となっている。コマ部品１５の内径側には弾性部材７が配されており、実施例１同様レンズ鏡筒１４との接触面の摩擦を大きくして、光学アクセサリ取付け用リング２の回転防止を行っている。
【００１６】
実施例１と同様、押え環３をねじ込んでコマ部品１５を矢印１６方向に押し当てた時、斜面１５ａと１６ｂが光軸方向に押し当てられる。その結果光学アクセサリ取付け用リング２の固定のための力は斜面直角方向（図５中の矢印１７方向）に働くこととなる。これにより従来までの外周側からの付勢力が斜面で分散され、ラジアル方向の力が減少し鏡筒の変形を軽減することが可能となる。また固定のための突当てに斜面を使用することにより、実施例１のような光軸に垂直な面よりも接触長が略1.4倍になることからより強い固定力が得られ、設計の自由度が増す。
【００１７】
図６は押え環３をゆるめた状態を表している。押え環３には実施例１同様内径部に凹部３ａ（本実施例では不図示）が設けられており、押え環３をゆるめて凹部３ａがコマ部品１５と同位相になったときに、コマ部品は弾性部材７の付勢力により矢印１８方向に押し上げられる。このときコマ部品１５は凹溝１４ａから完全に脱出する必要はない。図６のような途中までの脱出状態でも、光学アクセサリ取付け用リング２を矢印１９側に抜いていったときに斜面１５ａに沿ってコマ部品１５は矢印１８方向に抜けていくこととなる。もちろん実施例１と同様に位置にコマ部品１５の内径部の前後に弾性部材を配してコマ部品１５が凹溝１４ａから完全に脱出する設定にしてもよい。
【００１８】
以上、本発明の好ましい実施形態について説明したが、本発明はこれらの実施形態に限定されず、その要旨の範囲内で種々の変形及び変更が可能である。
【符号の説明】
【００１９】
１  レンズ鏡筒
２  光学アクセサリ取付け用リング
３  押え環
４  コマ部品
５、６、７  弾性部材
１４  レンズ鏡筒
１５  コマ部品
【図１】
2014013288.tif 000003
【図２】
2014013288.tif 000004
【図３】
2014013288.tif 000005
【図４】
2014013288.tif 000006
【図５】
2014013288.tif 000007
【図６】
2014013288.tif 000008